(57)【要約】
【課題】　マルチメディア看板の提供。
【解決手段】　防水箱体の左右両面に液晶フラットディスプレイが取り付けられ、そのうち防水箱体が長方形の箱体とされ、該防水箱体が建物の外壁に取り付け可能とされ、且つ二つの液晶フラットディスプレイが屋内のコンピュータに接続される。上述の構造により、コンピュータがマルチメディアプログラムを実行することにより、二つの液晶フラットディスプレイが動画表示し、動態で広告を表示し、良好な広告効果を提供し、且つ商店の必要により異なる広告画面に自動変換でき、これにより良好な変化性を具備するものとされる。
【選択図】　　　　図２
0003100456.tif 000002
【実用新案登録請求の範囲】
【請求項１】
　長方形の箱体であり、建物の外壁に取り付け可能な防水箱体と、
　該防水箱体の左右両面に取り付けられ、屋内に設置されたコンピュータに接続され、コンピュータがマルチメディアプログラムを実行することにより動画を表示し、動態広告表示を行なう二つの液晶フラットディスプレイと、
　を具えたことを特徴とする、マルチメディア看板。
【請求項２】
　請求項１記載のマルチメディア看板において、液晶フラットディスプレイの代わりにプラズマテレビジョンが使用されたことを特徴とする、マルチメディア看板。
【請求項３】
　請求項１記載のマルチメディア看板において、コンピュータが防水箱体内に設置されたことを特徴とする、マルチメディア看板。
【請求項４】
　請求項１記載のマルチメディア看板において、コンピュータが防水箱体内に設置されて防水箱体が自動車に取り付けられたことを特徴とする、マルチメディア看板。
【考案の詳細な説明】
【技術分野】
【０００１】
　本考案は一種のマルチメディア看板に係り、商店の外壁に取り付けられる広告看板であり、防水箱体の左右両面に液晶フラットディスプレイが取り付けられ、それが動態で広告表示でき、並びに商店の必要に応じて異なる広告画面に変換でき、良好な変化性を具備する、マルチメディア看板に関する。
【背景技術】
【０００２】
　一般に商店の外壁に取り付けられる広告看板は、フレームの左右に透光可能なアクリル板が取り付けられ、フレーム内に複数のランプが取り付けられ、且つアクリル板に直接別の色を裁断してなる商標や商店名が貼り付けられるか、或いは凸版の方式でアクリル板に直接成形され、その後、凸版の商標や商店名の表面が底色とは異なる色で塗られ、こうして夜間に点灯する看板が形成されている。このような看板は単調で、このため自動制御の方式で各字体後方のランプを点灯させて、商標や商店名を順に点灯させたりその他の変化を形成させて、直接看板の構造を変化させるよりも変化を有するようにしている。しかし、このような方法は文字の表示変化に限られるため、やはり単調で変化性に乏しく動感がない。ゆえに改善が求められている。
【０００３】
　別に看板をネオンライト或いはカラーバルブで囲んだり、商標や商店名をネオンライトで製作し、さらに簡単な図形を加え、自動制御方式でネオンライト或いはカラーバルブを順に点灯させるか、或いは変化点灯させるものもある。これは前述の看板に較べて広告の動態効果を増すことができる。しかし図形は僅かに２、３個を表示できるだけであり、広告効果上、あまり変化がなく、その他の変化を必要とする場合は、新たな看板を製作しなければならない。しかし、一般の商店にとっては損壊して使用不能となる場合を除き、看板の交換は避けたいものである。それは新しい看板を製作するのにかかるコストのためである。しかし看板を交換しなければ集客効果が上がらないため、商店にとっては苦しい選択を迫られることになる。
【０００４】
　また、発光ダイオードで構成して大スクリーンの電子看板もあり、それは動画の効果を有するが、全ての画面はプログラム設計方式で達成され、且つ達成する動画効果及びカラーは有限であり、リアルな動態効果を達成できない。また発光ダイオードで構成された電子看板は全面が壁面に取り付けられるため、単一面の表示しか行なえず、正面からでなければはっきりと観ることができず、左右を通過する人はこの電子看板の広告を観ることができない。ゆえに達成できる広告効果は有限である。
【０００５】
　さらに、発光ダイオードで構成された電子看板の価格は高く、一般の商店が負担できず、広告会社が代理広告をする場合に使用されるにとどまっている。
　このほか、タクシー或いは公共の車両の車体広告は平面静態の広告であり、その達成できる効果は伝統的なものであり、動態広告ほど効果的でない。
【考案の開示】
【考案が解決しようとする課題】
【０００６】
　本考案は従来の看板の欠点を鑑み、一種のマルチメディア看板を提供することを課題とする。本考案は商店の外壁に取り付けられる看板を提供し、それは、防水箱体の左右両面に液晶フラットディスプレイが取り付けられ、それが動態広告表示を行うものとされ、並びに商店の必要により異なる広告画面に変換可能で、これにより変化性を具備するものとされる。
【課題を解決するための手段】
【０００７】
　請求項１の考案は、
　長方形の箱体であり、建物の外壁に取り付け可能な防水箱体と、
　該防水箱体の左右両面に取り付けられ、屋内に設置されたコンピュータに接続され、コンピュータがマルチメディアプログラムを実行することにより動画を表示し、動態広告表示を行なう二つの液晶フラットディスプレイと、
　を具えたことを特徴とする、マルチメディア看板としている。
　請求項２の考案は、請求項１記載のマルチメディア看板において、液晶フラットディスプレイの代わりにプラズマテレビジョンが使用されたことを特徴とする、マルチメディア看板としている。
　請求項３の考案は、請求項１記載のマルチメディア看板において、コンピュータが防水箱体内に設置されたことを特徴とする、マルチメディア看板としている。
　請求項４の考案は、請求項１記載のマルチメディア看板において、コンピュータが防水箱体内に設置されて防水箱体が自動車に取り付けられたことを特徴とする、マルチメディア看板としている。
【考案の効果】
【０００８】
　本考案は一種のマルチメディア看板を提供し、それは、商店の外壁に取り付けられる広告看板であり、防水箱体の左右両面に液晶フラットディスプレイが取り付けられ、それが動態で広告表示でき、並びに商店の必要に応じて異なる広告画面に変換でき、良好な変化性を具備している。
【考案を実施するための最良の形態】
【０００９】
　本考案によると、防水箱体の左右両面に液晶フラットディスプレイが取り付けられ、そのうち防水箱体が長方形の箱体とされ、該防水箱体が建物の外壁に取り付け可能とされ、且つ二つの液晶フラットディスプレイが屋内のコンピュータに接続される。上述の構造により、コンピュータがマルチメディアプログラムを実行することにより、二つの液晶フラットディスプレイが動画表示し、動態で広告を表示し、良好な広告効果を提供し、且つ商店の必要により異なる広告画面に変換でき、これにより良好な変化性を具備するものとされる。
【実施例１】
【００１０】
　図１及び図２に示されるように、本考案は防水箱体１及び二つの液晶フラットディスプレイ２で組成された看板１０であり、各部品の関係位置及び構造は以下のとおりである。
【００１１】
　防水箱体１は長方形の箱体とされ、該防水箱体１は建物の外壁に取り付け可能である。
【００１２】
　二つの液晶フラットディスプレイ２は、防水箱体１の左右両面に取り付けられ、二つの液晶フラットディスプレイ２は屋内のコンピュータ３に接続され、コンピュータ３がマルチメディアプログラムを実行することにより、二つの液晶フラットディスプレイ２が動画を表示し、動態広告表示を行なう。
【００１３】
　以上の構造により、該看板１０の左右両面が液晶フラットディスプレイ２とされ、且つ該液晶フラットディスプレイ２が屋内に置かれたコンピュータ３に接続され、コンピュータ３がマルチメディアプログラムを実行することにより、二つの液晶フラットディスプレイ２が広告画面及び商標を表示し、並びにマルチメディアプログラムの設定により、広告画面に各種の異なる変化を形成させたり交換でき、これにより相当に大きな変化性を具備するものとされる。これは一方で商店が自分で変化させて使用でき、また一方で製造メーカーは僅かにマルチメディアプログラムを提供するだけで全ての商店の使用に対応でき、個別に製作処理する面倒と不便がなく、大きな応用弾性を有している。
【００１４】
　さらに、看板１０の液晶フラットディスプレイ２は２面に設置され、両面広告効果を有する。これにより左右を通過する人がはっきりと広告内容を観ることができ、広告効果を高めることができる。
【００１５】
　また、液晶フラットディスプレイ２の画質は発光ダイオードの電子看板より良好で、このため広告効果の真実感を高めることができ、ゆえに良好な使用効果を有する。
【００１６】
　また、液晶フラットディスプレイ２はプラズマテレビ（ＰＤＰ）に変更可能で、これによっても上述の効果を達成できる。これは本考案の別の実施例である。
【００１７】
　図３に示されるように、コンピュータ３は直立箱体１内に設置可能で、それを直立箱体１と一体に形成し、コンピュータに接続されたキーボード及びマウス（図示せず）は操作設定時に接続されて使用されるか、或いは直立箱体１内に内蔵され、操作使用に便利とされ、これもまた本考案の別の実施例である。
【００１８】
　図４に示されるように、該コンピュータ３は防水箱体１内に設置可能で、且つ該防水箱体１は自動車４に取り付け可能であり、これにより車体の移動広告に使用され、これもまた本考案の実施例である。
【００１９】
　総合すると、本考案の構造は従来にはなく、且つ確実に上述の効果を達成しており、ゆえに本考案は実用新案登録の要件を具備している。
【図面の簡単な説明】
【００２０】
【図１】本考案の斜視図である。
【図２】本考案の組合せ断面図である。
【図３】本考案の別の実施例図である。
【図４】本考案のさらに別の実施例図である。
【符号の説明】
【００２１】
１　防水箱体
２　液晶フラットディスプレイ
３　コンピュータ
４　自動車
１０　看板
【図１】
0003100456.tif 000003
【図２】
0003100456.tif 000004
【図３】
0003100456.tif 000005
【図４】
0003100456.tif 000006